(57)【特許請求の範囲】
【請求項１】
以下の要件を備えることを特徴とする本玩具。
（イ）上記本玩具はバインダーと、該バインダーに支持させる複数の頁部材と、該頁部材に支持させる複数の構成部材からなる玩具体とで構成されていること
（ロ）上記バインダーには上記頁部材を着脱可能に支持するとともに開閉方向に回動可能な支持部材を設けたこと
（ハ）上記頁部材は枠体で構成され、該枠体の内部には上記玩具体を構成する構成部材に係合する係合部を設けるとともに、それぞれ嵌合部を設け、頁部材同士は該嵌合部を介して前後方向に連結、分離可能に形成されていること
（二）上記構成部材には上記頁部材の係合部に上下方向に係脱可能な係合部とを設けるとともに、それぞれ嵌合部を設け、構成部材同士は該嵌合部を介して前後方向に連結、分離可能に形成されていること
（ホ）上記構成部材の係合部を上記頁部材の係合部に係合させた状態で、頁部材に設けた嵌合部を介して頁部材同士を連結すると、上記構成部材も構成部材に設けた嵌合部を介して連結され玩具体を形成すること
（へ）上記玩具体は連結した頁部材に対し上記係合部を介して上下方向に係脱できること
（ト）上記玩具体は連結した頁部材に支持させた状態で頁部材の連結を解除すると、玩具体は構成部材に分離され、分離した状態でそれぞれの頁部材に支持されていること
【請求項２】
前記本玩具は、前記バインダー及び頁部材の開閉操作を感知する感知手段と、演出手段と、上記感知手段の感知に基づいて上記演出手段を作動させる制御手段とを備えた、請求項１記載の本玩具。
【請求項３】
前記演出手段を音声情報を出力するスピーカで構成し、前記制御手段は前記感知手段によるバインダー及び頁部材の開閉を感知すると上記スピーカから音声情報を出力させる、請求項２記載の本玩具。
【請求項４】
前記玩具体は、人形玩具で構成し、前記構成部材は人形体、頭髪部材、着衣部材で構成した請求項１記載の本玩具。
【発明の詳細な説明】
【技術分野】
【０００１】
本発明は、本玩具、詳しくは絵本に登場するキャラクターを玩具体として組み立てられ、組み立てた玩具体を絵本から取り出すことができる本玩具に関するものである。
【背景技術】
【０００２】
従来、玩具体を複数の構成部材で構成し、その構成部材をそれぞれ支持枠部材に支持させ、支持枠部材を重ね合わせることにより玩具体が形成され、形成した玩具体を支持枠部材から取り外すことができる組み立て玩具が本出願人から提案されている。（例えば、特許文献１）。この組み立て玩具は、構成部材を前輪車体部、後輪車体部、ボディ部で構成し各構成部材を支持枠体に支持させ、支持枠部材を重ね合わせることにより走行玩具が形成できるようにしたものである。
【先行技術文献】
【特許文献】
【０００３】
【特許文献１】特開２００８−１７３２４３号公報
【発明の概要】
【発明が解決しようとする課題】
【０００４】
本発明が解決しようとする問題点は、上述の組み立て玩具は構成部材を組み合わせて好みの仕様の走行玩具を組み立てた後に、その走行玩具を走行させてその仕様に沿った走行を楽しむことができるが、あまりにも機械的であり女児が楽しむことはできない問題があった。
【０００５】
本発明は、上記問題点を解決し、複数の頁部材に玩具体を構成する複数の構成部材をそれぞれ保持させ、表紙を閉じると構成部材が連結されて表紙を開くと人形体が登場するとともに、その人形体を本から取り外して遊ぶことができ、女児も楽しむことができる新しい発想の本玩具を提供することを課題とする。
【課題を解決するための手段】
【０００６】
前記課題を解決するために本発明に係る本玩具は、以下の要件を備えることを特徴とする。
（イ）上記本玩具はバインダーと、該バインダーに支持させる複数の頁部材と、該頁部材に支持させる複数の構成部材からなる玩具体とで構成されていること
（ロ）上記バインダーには上記頁部材を着脱可能に支持するとともに開閉方向に回動可能な支持部材を設けたこと
（ハ）上記頁部材は枠体で構成され、該枠体の内部には上記玩具体を構成する構成部材に係合する係合部を設けるとともに、それぞれ嵌合部を設け、頁部材同士は該嵌合部を介して前後方向に連結、分離可能に形成されていること
（二）上記構成部材には上記頁部材の係合部に上下方向に係脱可能な係合部とを設けるとともに、それぞれ嵌合部を設け、構成部材同士は該嵌合部を介して前後方向に連結、分離可能に形成されていること
（ホ）上記構成部材の係合部を上記頁部材の係合部に係合させた状態で、頁部材に設けた嵌合部を介して頁部材同士を連結すると、上記構成部材も構成部材に設けた嵌合部を介して連結され玩具体を形成すること
（へ）上記玩具体は連結した頁部材に対し上記係合部を介して上下方向に係脱できること
（ト）上記玩具体は連結した頁部材に支持させた状態で頁部材の連結を解除すると、玩具体は構成部材に分離され、分離した状態でそれぞれの頁部材に支持されていること
【０００７】
なお、前記本玩具は、前記バインダー及び頁部材の開閉操作を感知する感知手段と、演出手段と、上記感知手段の感知に基づいて上記演出手段を作動させる制御手段とを備え、本を閉じたり開いたりするようにバインダー及び頁部材の開閉操作すると演出手段が作動するようにしてもよい。
【０００８】
そして、前記演出手段を音声情報を出力するスピーカで構成し、前記制御手段は前記センサによるバインダー及び頁部材の開閉を感知すると上記スピーカから音声情報を出力させ、本を閉じたり開いたりするようにバインダー及び頁部材の開閉をすると音声情報が出力され、視覚だけではなく聴覚でも楽しむことができるようにすればよい。
【０００９】
また、前記玩具体を人形玩具で構成し、前記構成部材を人形体、頭髪部材、着衣部材で構成することが好ましい。
【発明の効果】
【００１０】
請求項１の発明によれば、頁部材の係合部に構成部材の係合部を係合させて頁部材に構成部材を取り付け、構成部材を取り付けた頁部材をバインダーに支持させ、本を閉じるようにバインダーを閉じると、頁部材は頁部材の嵌合部を介して連結されるとともに、構成部材は構成部材の嵌合部を介して連結され玩具体を形成することができるとともに、連結した頁部材から玩具体を取り出すことができ、バインダーを閉じる前と開いたときとでは異なる世界が現れる新しい発想の本玩具を提供することができる。
【００１１】
請求項２の発明によれば、バインダー及び頁部材を開いたり閉じたりすると演出手段が作動して単に構成部材を連結して玩具体を形成するだけではなく、付加的な演出を楽しむことができる本玩具を実現することができる。
【００１２】
請求項３の発明によれば、演出手段を音声情報を出力するスピーカで構成し、バインダー及び頁部材の操作を感知手段が感知するとスピーカから音声情報が出力されるので、玩具体が形成される視覚的な楽しさに加え聴覚の面でも楽しむことができる本玩具を実現することができる。
【００１３】
請求項４の発明によれば、玩具体を人形玩具で構成し、構成部材を人形体、頭髪部材、着衣部材で構成したことにより、人形体に異なったヘアスタイルや異なった色や形の着衣を選択できるので着せ替え人形遊びを楽しむことができ、女児が楽しむことができる本玩具を提供することができる。
【図面の簡単な説明】
【００１４】
【図１】（ａ）（ｂ）は本発明に係る本玩具の構成を説明する斜視図
【図２】玩具体の構成を説明する斜視図
【図３】（ａ）〜（ｃ）は前頁部材、中頁部材、後頁部材の構成を説明する斜視図
【図４】バインダーの構成を説明する分解斜視図
【図５】表表紙部材、裏表紙部材の構成を説明する分解斜視図
【図６】上記本玩具の電気的構成を説明するブロック図
【図７】（ａ）（ｂ）は中頁部材への玩具体の取り付け方法を説明する斜視図及び取り付け後の状態を示す斜視図
【図８】（ａ）（ｂ）は前頁部材への玩具体の取り付け方を説明する斜視図及び取り付け後の状態を示す斜視図
【図９】（ａ）（ｂ）は後頁部材への玩具体の取り付け方を説明する斜視図及び取り付け後の状態を示す斜視図
【図１０】バインダーに玩具体を取り付けた頁部材の取り付け方を説明する斜視図
【図１１】（ａ）〜（ｃ）は頁部材を取り付けたバインダーを閉じた状態、開いた状態及びバインダーから玩具体を取り出した状態を説明する斜視図。
【発明を実施するための形態】
【００１５】
図１（ａ）（ｂ）は、本発明に係る本玩具Ａの一例を示し、この本玩具ＡはバインダーＢと、バインダーＢに支持される、前頁部材３、中頁部材４、後頁部材５の３枚からなる頁部材６と、玩具体Ｃを構成する構成部材１０、２０、３０とで構成され、構成部材１０、２０、３０を頁部材６に装着し、バインダー１を閉じるように頁部材３、４、５を重ね合わせると構成部材１０、２０、３０が連結されて１つの玩具体Ｃを形成することができるようになっているものである。
【００１６】
本実施の形態では玩具体Ｃを人形玩具で構成したもので、この玩具体（以下、人形玩具という）を構成する構成部材１０、２０、３０は、図２に示すように、人形体を模して形成された構成部材１０と、人形体の頭部に装着する頭髪を模して形成された構成部材２０と、人形体の胴体部に装着する着衣を模して形成された構成部材３０とで構成されている。
【００１７】
人形体を模して形成された構成部材１０（以下、人形体１０という）は、胴体部１１に腕部１２と脚部１３とが回動可能に取り付けられ、頭部１４の前面と背面とには後述する構成部材２０に設けた嵌合部（嵌合突部）２３ａ、２３ｂに嵌合する嵌合部（嵌合凹部）１５ａ、１５ｂがそれぞれ形成され、胴体部１１の前面と背面とには後述する構成部材３０に設けた嵌合部（嵌合突部）２３ｃ、２３ｄに嵌合する嵌合部（嵌合凹部）１５ｃ、１５ｄがそれぞれ形成されている。
【００１８】
そして、胴体部１１の底面には、後述する中頁部材４に設けた係合部（係合凸部）５４に上下方向に係脱可能な係合部（係合凹部）１６ａが形成され、腕部１２の先端に設けた手部１７は逆Ｕ字状に湾曲して中頁部材４に設けた係合部（係合凸部）５２を把持するとともに上下方向に係脱可能な係合部（係合凹部）１６ｂが形成され、脚部１３の下端には中頁部材４に設けたに係合部（係合凸部）５５に上下方向に係脱可能な係合部（係合凹部）１６ｃが形成されている。
【００１９】
頭髪を模して形成された構成部材２０（以下、頭髪部材２０という）は、前後に２分割された前頭髪部材２１と、後頭髪部材２２との２部材で構成され、着衣を模して形成された構成部材３０（以下、着衣部材３０という）は同様に前後に２分割された前着衣部材３１と、後着衣部材３２との２部材で構成されている。
【００２０】
上記前頭髪部材２１と、後頭髪部材２２とには内壁面に上記人形体１０の頭部１４に形成された嵌合凹部１５ａと嵌合凹部１５ｂとに嵌合する嵌合部（嵌合凸部）２３ａと、嵌合部（嵌合凸部）２３ｂとがそれぞれ形成され、外側両側面には後述する前頁部材３、後頁部材５の係合部（係合凸片）４２、６２に上下方向に係脱可能な係合部（係合凹部）２４ａと係合部（係合凹部）２４ｂとがそれぞれ形成されている。
【００２１】
着衣を模して形成された構成部材３０（以下、着衣部材３０という）は前後に２分割された前着衣部材３１と、後着衣部材３２とで構成され、前着衣部材３１と、後着衣部材３２とには内壁面に上記人形体１０の胴体部１１に装着時に胴体部１１の前後面に形成された嵌合凹部１５ｃ、１５ｄに嵌合する嵌合部（嵌合凸部）２３ｃ、２３ｄがそれぞれ形成され、前着衣部材３１の外側両側面には後述する前頁部材３の係合部４４に上下方向に係脱可能な係合部（係合片）２３ｅが形成され、下端には内方に向かって張出片３５が形成され、この張出片３５には前頁部材３の係合凸部４６に上下方向に係脱可能な係合部（係合孔）２３ｆが形成されている。
【００２２】
また、後着衣部材３２の下端には内方に向かって張出片３６が形成され、この張出片３６には後頁部材５の係合凸部６６に上下方向に係脱可能な係合部（係合孔）２３ｇが形成され、背面には後頁部材５の係合部６４に上下方向に係脱可能な係合部（係合孔）２３ｈが形成されている。
【００２３】
頁部材６は、上記前頭髪部材２１、前着衣部材３１を取り付ける前頁部材３と、上記人形体１０を取り付ける中頁部材４と、上記後頭髪部材２２、後着衣部材３２を取り付ける後頁部材５の３つの頁部材で構成されている。
【００２４】
前頁部材３は長方形状の枠体４０で構成され、この枠体４０には両側から内方に向かって、上記前頭髪部材２１を支持する第1の支持アーム４１が水平方向に突出して形成され、この第１の支持アーム４１の先端には、前頭髪部材２１の係合凹部２４ａが上下方向に係脱可能な係合部（係合凸片）４２が形成されている。
【００２５】
そして、第１の支持アーム４１の下方には、上記前着衣部材３１を支持する第２の支持アーム４３が斜め上方に突出して形成され、この第２の支持アーム４３の先端には、前着衣部材２１の係合片２３ｅが上下方向に係脱可能な係合部（係合凸片）４４が形成されている。
【００２６】
さらに、枠体４０の下部には上方に向かって一本の支持柱４５が突出して形成され、支持柱４５の先端には前着衣部材２１の係合孔２３ｆが上下方向に係脱可能な係合部（係合凸部）４６が形成され、枠体４０の背面四隅には前頁部材３を中頁部材４に重合させたとき後述する枠体５０の四隅に形成された嵌合孔５６に嵌合する嵌合突部４７が後方に突出して形成されている。
【００２７】
また、左側端部には、開閉時に後述するセンサＳＷ１、ＳＷ２に対応するレバー７６に側壁が係合しないように切欠き部４８が形成されている。
【００２８】
中頁部材４は長方形状の枠体５０で構成され、この枠体５０には両側から内方に向かって、上記人形体１０を支持する支持板５１が水平方向に突出して形成され、この支持板５１の前面には、人形体１０の腕部１２の先端に設けた係合凹部１６ｂが上下方向に係脱可能な係合部（係合凸部）５２が前方に突出して形成されている。
【００２９】
そして枠体５０の下部には上方に向かって一本の支持柱５３が突出して形成され、この支持柱５３の先端には人形体１０の胴体部１１の下端に形成された係合凹部１６ａが上下方向に係脱可能な係合部（係合凸部）５４が形成されている。さらに、上記支持柱５３の近傍両側には人形体１０の脚部１３の下端に形成された係合凹部１６ｃが上下方向に係脱可能な係合部（係合凸部）５５が形成され、枠体５０の四隅には枠体４０の嵌合突部４７に嵌合する嵌合孔５６が形成されるとともに、中頁部材４を後頁部材５に重合させたときは後述する枠体６０の四隅に形成された嵌合孔６７に嵌合する嵌合突部５７が後方に突出して形成されている。
【００３０】
また、左側端部には、開閉時に後述するセンサＳＷ１、ＳＷ．に対応するレバー７６に側壁が係合しないように切欠き部５８が形成されている。
【００３１】
後頁部材５は長方形状の枠体６０で構成され、この枠体６０には両側から内方に向かって、上記後頭髪部材２２を支持する支持アーム６１が水平方向に突出して形成され、この支持アーム６１の先端には、後頭髪部材２２の両側部に形成された係合凹部２４ｂが上下方向に係脱可能な係合部（係合凸片）６２が形成されている。
【００３２】
そして、支持アーム６１の下方には枠体６０の両側部に渡ってブリッジ６３が形成され、このブリッジ６３の中央には後着衣部材３２の背面に形成された係合孔２３ｈが上下方向に係脱可能な係合部（フック）６４が形成されている。
【００３３】
さらに、枠体６０の下部には上方に向かって一本の支持柱６５が突出して形成され、支持柱６５の先端には後着衣部材３２の下端に形成された係合孔２３ｇが上下方向に係脱可能な係合部（係合凸部）６６が形成され、枠体６０の四隅には枠体５０と重合したとき枠体５０の嵌合突部５７に嵌合する嵌合孔６７と、後述する裏表紙部材２に形成された嵌合突部７８に嵌合する嵌合孔６８が形成されている。
【００３４】
また、左側端部には、開閉時に後述するスイッチＳＷ２、ＳＷ３に対応するレバー７６に側壁が係合しないように切欠き部６９が形成されている。
【００３５】
バインダーＢは、図４に示すように、表表紙部材１と裏表紙部材２と、頁部材６を支持する支持部材８と、頁部材６を支持する支持部材８を回動可能に保持する筒状の保持部材９で構成されている。
【００３６】
表表紙部材１は、図５に示すように、外側表紙部材１ａと内側表紙部材１ｂとで構成され、各表紙部材１ａ、１ｂの後端上下部には略半円筒状のヒンジ部７１ａ、７１ｂが形成され、外側表紙部材１ａと内側表紙部材１ｂとを重合させ、ネジａで固定すると図４に示すように、円筒状のヒンジ部７１を備えた表表紙部材１が形成されるようになっている。
【００３７】
なお、内側表紙部材１ｂの背面四隅には前頁部材３の前面四隅に当接する突部７２が形成されている。この突部７２は表表紙部材１を閉じて前頁部材３を中頁部材４に押し付ける際、前頁部材３に装着した前頭髪部材２１と前着衣部材３１とが内側表紙部材１ｂの面に当接して損傷させないようにするためのものである。
【００３８】
裏表紙部材２は外側裏表紙部材２ａと内側裏表紙部材２ｂとで構成され、各表紙部材２ａ、２ｂには略半円筒状のヒンジ部７３ａ、７３ｂが形成され、外側裏表紙部材２ａと内側裏表紙部材２ｂとを重合させるとともに、重合する際に保持部材９の係合凸縁９ａを係合溝７４に係合させ、ネジａで固定すると、図４に示すように、保持部材９を支持した状態の円筒状のヒンジ部７３を備えた裏表紙部材２が形成されるようになっている。
【００３９】
上記ヒンジ部７３ｂには周方向にスリット７５が形成され、このスリット７５からはヒンジ部７３ａの内部に配置され、頁部材の回動を感知する感知手段（例えば、タクトスイッチ）ＳＷをＯＮ／ＯＦＦさせるレバー７６の先端７６ａを突出させ、前頁部材３、中頁部材４、後頁部材５の開閉操作によって先端７６ａが押されるとレバー７６はヒンジ部７３ｂの内側に形成された図示しない軸受部に軸支された支軸７６ｂを中心に内方に回動し、係合突部７６ｃがスイッチＳＷに作用するようになっており、頁部材６を閉じたときにはレバー７６を押圧してスイッチＳＷをＯＮした状態にし、開いたときにはレバー７６の押圧を解除してスイッチＳＷをＯＦＦするようにしたので、後述するＭＰＵ９１はスイッチＳＷのＯＮ／ＯＦＦで頁部材６の開閉操作を認識することができるようになっている。
【００４０】
なお、内側裏紙部材２ｂの表面の四隅には後頁部材５の背面四隅に当接する突部７７が形成されている。この突部７７は裏表紙部材１を閉じて後頁部材５を中頁部材３に押し付ける際、後頁部材５に装着した後頭髪部材２２と後着衣部材３２とが内側裏紙部材２ｂの表面に当接して損傷させないようにするためのものである。さらに、この突部７７の先端には後頁部材５の嵌合孔６８に嵌合する嵌合突部７８が突出して形成されている。
【００４１】
そして、上記保持部材９にはリング状の支持部材８（８０、８１、８２）が回動可能に取り付けられる。この支持部材８０、８１、８２には上述の頁部材３、４、５の左側端部を挟持する一対の挟持片８０ａ、８１ａ、８２ａがそれぞれ形成されている。
【００４２】
なお、保持部材９に支持部材８を取り付けた後、表表紙部材１のヒンジ部７１ａ、７１ｂで保持部材９を掴むようにして外側表紙部材１ａと内側表紙部材１ｂとを重合すれば、支持部材８０、８１、８２が保持部材９に支持された状態が維持できるとともに、裏表紙部材２に対して表表紙部材１を回動可能に取り付けることができる。
【００４３】
上記保持部材９は円筒状に形成され、上部の保持部材９ａは内部には図示しないバッテリーを収容する電池ボックスを構成し、下部の保持部材９ｂの内部には回路基板９０とスイッチＳＷ４が配置されている。この回路基板９０には音声情報を記憶したメモリ９２を内蔵するＭＰＵ９１が配置され、本を開いたり閉じたりするように表表紙部材１を前後に回動させるとスイッチＳＷ４が作動し、頁部材６を開いたり閉じたりするように頁部材６を回動させるとＳＷ１〜ＳＷ３のいずれかが作動するので、ＭＰＵ９１は内蔵したメモリ９２に記憶した音声情報を読み出して演出手段であるスピーカ９３から効果音やメロディを出力させることができるようになっている。
【００４４】
なお、符号８７は、上記保持部材９の開口部（上部のヒンジ部７１の上面及び下部のヒンジ部７１の下面）を遮蔽する蓋部材である。
【００４５】
図６は、上述の本玩具の電気的構成を説明するブロック図を示し、玩具全体を制御するプログラマブル音声合成ＩＣで構成された制御手段（以下、ＭＰＵという）９１は効果音やメロディなどの音声情報を記憶したメモリ９２を内蔵し、インプットとして表表紙部材の開閉に対応してＯＮ／オフするスイッチＳＷ４、各頁部材の開閉に対応してＯＮ／オフするスイッチＳＷ１〜ＳＷ３が接続され、アウトプットとして演出手段を構成するスピーカ９３が接続されており、ＭＰＵ９１がスイッチＳＷ１〜ＳＷ４のＯＮ／ＯＦＦを感知すると、メモリ９２から音声情報を読み出して演出手段であるスピーカ９３から音声情報を出力するようになっている。このスピーカ９３は圧電ブザーで構成され、電源スイッチＳＷ５とともに外側裏表紙部材２ａの内側面に配置されている（図５参照）。
【００４６】
次に、上記構成の本玩具Ａの使用態様について説明する。
【００４７】
先ず、人形体１０を中頁部材４に装着する。この際、図７（ａ）に示すように、係合凹部１６ａ、１６ｂ、１６ｃを中頁部材４の係合凸部５２、５４、５５にそれぞれ対応させて上から押し下げるようにして係合させ、図７（ｂ）に示すように、中頁部材４に人形体１０を装着する。
【００４８】
次に、前頭髪部材２１と前着衣部材３１とを前頁部材３に装着する。この際、図８（ａ）に示すように、前頭髪部材２１の両側面に形成されている係合凹部２４ａを前頁部材３の係合凸部４２に対応させて上から押し下げるようにして係合させ、図８（ｂ）に示すように、前頁部材３に前頭髪部材２１を装着する。同様に、前着衣部材３１の係合凸部２３ｅ、２３ｆを係合凸部４４、４６に対応させて上から押し下げるようにして係合させ、図８（ｂ）に示すように、前頁部材３に前着衣部材３１を装着する。
【００４９】
引き続き、後頭髪部材２２と後着衣部材３２とを後頁部材５に装着する。この際、図９（ａ）に示すように、後頭髪部材２２の両側面に形成されている係合凹部２４ｂを後頁部材５の係合凸片６２に対応させて上から押し下げるようにして係合させ、図９（ｂ）に示すように、後頁部材５に後頭髪部材２２を装着する。同様に、後着衣部材３２の係合孔２３ｇ、２３ｈを係合突部６６、フック６４にそれぞれ対応させて上から押し下げるようにして係合させ、図９（ｂ）に示すように、後頁部材５に後着衣部材３２を装着する。
【００５０】
構成部材１０、２０、３０を取り付けた頁部材３、４、５は、図１０に示すように、バインダーＢに取り付けるが、この際、前頁部材３の左端部を支持部材８０、８０の挟持部８０ａ、８０ａに、中頁部材４の左端部を支持部材８１、８１の挟持部８１ａ、８１ａに、後頁部材５の左端部を支持部材８２、８２の挟持部８２ａ、８２ａにそれぞれ差し込んで、バインダーＢに取り付けた後に、図１１（ａ）に示すように、本を閉じるようにバインダーＢを閉じる。
【００５１】
この時、前表紙部材１と後表紙部材２とで頁部材６同士が圧着するように、前後から圧力を加えると、前頁部材３の嵌合突部４７は中頁部材４の嵌合孔５６に嵌合し、中頁部材４の嵌合突部５７は後頁部材５の嵌合孔６７に嵌合して、前頁部材３、中頁部材４、後頁部材５は一体化する。同時に、前頭髪部材２１の嵌合突部２３ａは人形体１０の頭部１４の嵌合凹部１５ａに嵌合し、後頭髪部材２２の嵌合突部２３ｂは頭部１４の嵌合孔１５ｂに嵌合して頭部１４に頭髪部材２０が取り付けられる。
【００５２】
一方、前着衣部材３１の嵌合突部２３ｃは人形体１０の胴体部１１の嵌合凹部１５ｃに嵌合し、後着衣部材３２の嵌合突部２３ｄは胴体部１１の嵌合孔１５ｄに嵌合して胴体部１１に着衣部材３０が取り付けられるので、図１１（ｂ）に示すように、前表紙部材１を前方に回動させてバインダーＢを開いた状態にすると、前頁部材３、中頁部材４、後頁部材５が一体化した頁部材６に玩具体Ｃがセットされた状態になって現れることになる。
【００５３】
なお、バインダーＢを閉じたとき、後頁部材５の嵌合孔６８が後表紙部材２の内側表紙部材２ｂに形成された突部７７の先端の嵌合突部７８に嵌合しているので、頁部材３、４、５は連結した状態で後表紙部材２に固定された状態となっている。
【００５４】
この時、電源スイッチＳＷ５をＯＮした状態で、表表紙部材１、頁部材６の回動を行なえば表表紙部材１に対応したスイッチＳＷ４、各頁部材に対応したスイッチＳＷ１、ＳＷ２、ＳＷ３が作動し、このスイッチの作動を感知したＭＰＵ９１はメモリ９２に記憶した音声情報をスピーカ９３から出力させて演出効果を発揮させることになる。
【００５５】
玩具体Ｃを構成する全ての構成部材１０、２０、３０は係合部が頁部材６の係合部に対し、上下方向に着脱可能なので、構成部材が一体化した状態であっても、玩具体Ｃを頁部材６に対し上方に引き上げれば、係合が外れて玩具体ＣはバインダーＢから取り外すことができ、図１１（ｃ）に示すような、人形を模した玩具体Ｃを取り出すことができる。
【００５６】
同時に、表表紙部材１を開くことにより、スイッチＳＷ４が働き、ＭＰＵ９１はメモリ９２から玩具体に関連する情報や音楽を出力し、その情報や音楽を背景に玩具体で遊ぶことができ、単に玩具体を組み上げるだけではなく、組み立てた玩具体で人形遊びなどを楽しむことができ、女児にも楽しむことができる本玩具を実現することができる。
【００５７】
しかも、構成部材を組み替えることにより、着せ替え人形のような遊びを楽しむことができ、単に縫い包みの人形遊びでは得られない新しい発想の遊びを実現することができる本玩具を提供することができる。
【００５８】
なお、玩具体Ｃの係合部と頁部材６の係合部とが上下位置に対応するように玩具体Ｃが外された状態の頁部材６の空間ｂ（図１１（ｃ）参照）に玩具体Ｃを差し込み、玩具体Ｃを頁部材６から取り外す時と逆に、下方に押し下げて、玩具体Ｃの係合部と頁部材６の係合部とを係合させて頁部材６に玩具体Ｃを支持させて、図１１（ｂ）の状態にし、頁部材同士を引き剥がして嵌合を解除すれば、玩具体を構成する構成部材同士の嵌合も解除され、図１０に示すように、玩具体を構成部材に分離することができる。
【００５９】
上述したように、玩具体を複数の構成部材で構成し、且つ前構成部材と後構成部材とに分割し、それぞれを頁部材に取り付け、構成部材を取り付けた頁部材をバインダーに取り付けた後に本を閉じるようにバインダーを閉じると各頁部材は頁部材の嵌合部を介して連結されて一体化し、その際各頁部材に装着されている構成部材も構成部材自身の嵌合部を介して連結されるので、本を閉じるようにバインダーを閉じたあと、閉じた本の表紙を開くように前表紙部材を開くと、演出手段が作動して音声情報が出力されるとともに、一体化した玩具体が現れ、その玩具体はバインダーから取り出すことができるので、玩具体が人形体の場合には構成部材を頭髪部材、着衣部材とで構成し、異なった髪形の頭髪部材や、異なった色やデザインの洋服を模した着衣部材で構成すれば、着せ替え人形遊びもできるので女児が楽しむことができる本玩具を実現することができる。
【００６０】
なお、上述の本玩具では、演出手段を音声情報を出力するスピーカで構成し、本玩具を開いたり閉じたりしたときには、音声情報を出力するようにしたが、バインダーＢにＬＥＤや液晶パネルを配置してＬＥＤを点滅させたり、液晶パネルに画像を表示させたりすればよいし、香り発生機構を設けて香りを発生させたりしてもよいし、モータや電磁石で作動する装飾動作機構を設けて装飾動作機構を作動させるなど、音声以外の演出が行えるようにしてもよい。
【符号の説明】
【００６１】
１    前表紙部材
２    後表紙部材
３    前頁部材
４    中頁部材
５    後頁部材
６    頁部材
１０    人形体
２０    頭髪部材
３０    着衣部材
Ａ    本玩具
Ｂ    バインダー
Ｃ    玩具体
【図１】
0005397952.tif 000002
【図２】
0005397952.tif 000003
【図３】
0005397952.tif 000004
【図４】
0005397952.tif 000005
【図５】
0005397952.tif 000006
【図６】
0005397952.tif 000007
【図７】
0005397952.tif 000008
【図８】
0005397952.tif 000009
【図９】
0005397952.tif 000010
【図１０】
0005397952.tif 000011
【図１１】
0005397952.tif 000012